(57)【要約】【課題】  使用者が口腔内に塗布剤を塗布する際に痛みを感じずに、局所的に塗布剤を塗布可能であり、しかも衛生的な使用が実現可能な口腔用塗布剤チューブの供給ノズル及び口腔用塗布剤チューブセットを提供すること【解決手段】  口腔用塗布剤チューブ３の供給ノズル１が、口腔用塗布剤を収容したチューブ３の供給部５に取付可能な管状のノズルであり、口腔内の皮膚に先端が接したときに痛みを感じない程度の柔軟性を有する材料で構成されている。供給ノズル１の先端が斜めにカットされていてもよい。【選択図】  図１
2005177111.tif 000002
【特許請求の範囲】
【請求項１】
口腔用塗布剤を収容したチューブの供給部に取付可能な管状のノズルであり、口腔内の皮膚に先端が接したときに痛みを感じない程度の柔軟性を有する材料で構成されていることを特徴とする口腔用塗布剤チューブの供給ノズル。
【請求項２】
請求項１において、前記供給ノズルの先端が斜めにカットされていることを特徴とする口腔用塗布剤チューブの供給ノズル。
【請求項３】
供給部を有する口腔用塗布剤を収容したチューブと、前記供給部に取付可能であり、口腔内の皮膚に先端が接したときに痛みを感じない程度の柔軟性を有する材料で構成された管状の供給ノズルとを備えることを特徴とする口腔用塗布剤チューブセット。
【請求項４】
請求項３において、前記チューブの供給部に前記供給ノズルが予め取り付けられていることを特徴とする口腔用塗布剤チューブセット。
【請求項５】
請求項３または４のいずれかにおいて、前記供給ノズルは使用後に新しい供給ノズルに取り替え可能であることを特徴とする口腔用塗布剤チューブセット。
【請求項６】
請求項３〜５のいずれか１項において、前記供給部を被うキャップを更に備えることを特徴とする口腔用塗布剤チューブセット。
【発明の詳細な説明】
【技術分野】
【０００１】
本発明は、口腔用塗布剤チューブの供給部に取り付けて使用する供給ノズル、並びに該供給ノズルを備えた口腔用塗布剤チューブセットに関する。
【背景技術】
【０００２】
従来、塗布等の塗布剤を塗布する機能を備えたチューブには下記のようなものがある。実公平５−３０７７５号公報（特許文献１）には、天面に塗布面を有し、かつチューブ容器の開口部に連通する塗布孔を有する上壁部と、上壁部の外周から垂下する嵌合筒と、嵌合筒内面に設けられる膨張部とから成る単層合成樹脂成型体である有底筒状の中栓体と、頭部、頭部の下方に連続する小径部、小径部に連続する頸部及び胴部の全体を、ガスバリア層を含む多層樹脂層で一体に構成した可撓性のチューブとからなり、中栓体の天面の裏面をチューブ容器の開口部の近辺に密接させ、嵌合筒の内周面を頭部の外周面と重なるように密に嵌合し、かつ嵌合筒内面の膨張部を頭部の下縁に弾力的に係合して成る塗布機能付チューブが開示されている。
【０００３】
また実公平７−２５３３２号公報（特許文献２）には、粘性物を収容したチューブ容器本体の口部に、その上方に嵌入部を有する筒状のホルダーを取付け、指先を差し込む挿入穴を形成した有底筒状のキャップを、嵌入部に嵌脱自在に嵌め込み、チューブ容器本体の口部の開口に対応するキャップの底部下面に、粘性物を付着させるなだらかな凹面状の窪みを形成した塗布機能付きチューブ容器が開示されている。
【０００４】
また実開平７−４２７５４号公報（特許文献３）には、先端に粘性のある内容物を送り出すためのローラが設けられているチューブ容器が開示されている。
【０００５】
また特開平１１−１２８３２１号公報（特許文献４）には、チューブ素材の一端に開口部を形成し、他端を閉じて接着した押し出し式のチューブ容器をポリエチレン樹脂などからなる可撓性素材で形成し、チューブ容器には調製された所要粘度の塗布を収容し、開口部を不織布や網などからなる塗擦シートで被覆し、外蓋を設けて塗布成分の揮散乾燥を防止できるようにした塗布用チューブ容器が開示されている。
【０００６】
【特許文献１】実公平５−３０７７５号公報
【特許文献２】実公平７−２５３３２号公報
【特許文献３】実開平７−４２７５４号公報
【特許文献４】特開平１１−１２８３２１号公報
【発明の開示】
【発明が解決しようとする課題】
【０００７】
従来、口内炎等の治療に使用する口腔用塗布剤は、塗布剤チューブから一旦滅菌綿棒等に塗布し、これを口内へ入れて局所への塗布をしていた。しかしこのような方法では、滅菌綿棒を用意する手間や、両手を使用しなければならないという煩雑さがあり、使用者には必ずしも使い勝手の良いものではなかった。
【０００８】
また上記特許文献１〜４に開示のチューブ容器における塗布機能は、いずれも比較的広い範囲の皮膚等に薬剤等を塗布することを目的とするものであり、口腔内の局所に薬剤を塗布するには適していない。また上記特許文献の中には、塗布機能部が不織布や網などの比較的柔らかい材料を使用したものがあるが、口腔内への塗布には不向きであり、口内炎などの潰瘍ができている皮膚にこれらが触れたり擦れたりする場合には、使用者が痛みを感じる可能性がある。
【０００９】
そこで本願発明は、使用者が口腔内に塗布剤を塗布する際に痛みを感じずに、局所的に塗布剤を塗布可能であり、しかも衛生的な使用が実現可能な口腔用塗布剤チューブの供給ノズル及び口腔用塗布剤チューブセットを提供することを課題とする。
【課題を解決するための手段】
【００１０】
本発明者らは上記課題を解決するために鋭意検討した結果、口腔用塗布剤を収容したチューブの供給部に取付可能な管状のノズルであって、口腔内の皮膚に先端が接したときに痛みを感じない程度の柔軟性を有する材料で構成されている口腔用塗布剤チューブの供給ノズルを用いることによって、上記課題を解決できることを見出し、本発明を完成するに至った。
【００１１】
即ち、本発明によれば、口腔用塗布剤を収容したチューブの供給部に取付可能な管状のノズルであり、口腔内の皮膚に先端が接したときに痛みを感じない程度の柔軟性を有する材料で構成されていることを特徴とする口腔用塗布剤チューブの供給ノズルが提供される。
【００１２】
上記口腔用塗布剤チューブの供給ノズルにおいて、供給ノズルの先端が斜めにカットされていてもよい。
【００１３】
また本発明の別の側面によれば、供給部を有する口腔用塗布剤を収容したチューブと、前記供給部に取付可能であり、口腔内の皮膚に先端が接したときに痛みを感じない程度の柔軟性を有する材料で構成された管状の供給ノズルとを備えることを特徴とする口腔用塗布剤チューブセットが提供される。
【００１４】
上記口腔用塗布剤チューブセットにおいて、チューブの供給部に供給ノズルが予め取り付けられていたり、供給ノズルの使用後に新しい供給ノズルに取り替え可能であるようにすることもできる。
また供給部を被うキャップを備えていてもよい。
【発明の効果】
【００１５】
請求項１または請求項３記載の発明によれば、使用者が綿棒等の別の塗布器具を使用することなく、片手で容易に塗布剤を患部に塗布することができる。また患部への塗布時に供給ノズルが患部に触れたり、供給ノズルの先端で塗布剤を拡げるなどの操作をする場合でも、患部で過度の刺激や痛みを感じることがない。
請求項２記載の発明によれば、口腔内の患部へ局部的に塗布剤を供給しやすい。
請求項４記載の発明によれば、初めての使用時に使用者が供給ノズルを供給部に取り付ける手間を省くことができる。
請求項５記載の発明によれば、一度使用した供給ノズルでの菌の繁殖に起因する他の使用者への感染や、同一使用者への他の部位への感染を防止することができる。
請求項６記載の発明によれば、供給部を常に衛生的な環境に維持することができる。
【発明を実施するための最良の形態】
【００１６】
以下、本願発明の実施の形態を図面に基づいて説明する。図１は本発明に係る口腔用塗布剤チューブの供給ノズルを口腔用塗布剤チューブに取り付けた状態で使用する様子を示す斜視図であり、図２の（ａ）は口腔用塗布剤チューブの先端にキャップを取り付けた状態を示す側断面図であり、（ｂ）はキャップを取り外し、供給ノズルを取り付ける様子を示す側面図である。
【００１７】
図１に示すように、本発明の口腔用塗布剤チューブの供給ノズル１は、口腔用塗布剤チューブ３の供給部５にサック状に嵌め込んで使用するものである。口腔用塗布剤チューブ３は、内部に口腔用塗布剤が収容されたチューブ本体７と、チューブ本体７の先端側に螺合式に取り付けられているノズル蓋９とを備えており、ノズル蓋９は、蓋本体部１１と、蓋本体部１１から突出形成される細長い供給部５とを備えている。尚、このような口腔用塗布剤チューブ３は従来既存のものであり、従来は、細長い供給部５の先端から塗布剤を押し出して、これを滅菌綿棒に取り、口腔内の患部に塗布するというやり方で使用していたものである。また本発明における塗布剤には、軟膏剤、ゲル剤、液状剤等の塗布可能な形態の薬剤、医薬部外品を含む。
【００１８】
塗布剤の具体例としては、デキサメタゾン、酢酸ヒドロコルチゾン、トリアムシノロンアセトニド等のステロイドや、ヒノキチオール、ミノサイクリン等の抗菌活性を有するもの、またリドカイン、アミノ安息香酸エチル等の局所麻酔薬などが挙げられる。
【００１９】
供給ノズル１は、全体が可撓性を有する管状の形態であり、その基端側は、管状の内側を細長い供給部５の先端外側に押し嵌めすることで供給部５の先端に固定されるような内径寸法を有し、一方先端側は口腔内の局部へ塗布剤を供給しやすくするために斜めにカットされている。また供給ノズル１は、口腔内の皮膚に先端が接したときに痛みを感じない程度の柔軟性を有する材料で構成されている。このような柔軟性を有する材料の例としては、シリコン、ポリエチレン、ローデンポリエチレン、ウレタン、ポリウレタンエラストマー、ポリエステル系エラストマー等が挙げられる。
【００２０】
次に図１に示すような口腔用塗布剤チューブの供給ノズル１を使用して口腔内の患部へ塗布剤を塗布する手順について説明する。まず口腔用塗布剤チューブ３を使用していないときの状態では、図２（ａ）に示すようにノズル蓋９を被うようにキャップ１３が設けられており、これにより供給部５の衛生状態を維持している。一方供給ノズル１は、図示しないが例えば１つずつ滅菌袋等の中に収納されており、使用時には袋を破いて容易に取り出せるようになっている。
【００２１】
袋から取り出した供給ノズル１は、図２（ｂ）に示すように、その基端側を細長い供給部５の先端に容易に抜けない位置まで深く差し込み、固定する。この状態で供給ノズル１の先端を口腔内の患部付近に位置決めし、口腔用塗布剤チューブ３を指で押し込めば、供給ノズル１から塗布剤が直接患部に局部的に供給される。また塗布剤を患部に薄く塗布したい場合には、供給ノズル１の先端を患部に接触させて該先端を動かすだけで塗布剤を患部及びその周辺に薄く広げて塗布することができる。本発明の口腔用塗布剤チューブの供給ノズル１は、口腔内の皮膚に先端が接したときに痛みを感じない程度の柔軟性を有する材料で構成されているから、このように塗布剤を患部付近で薄く拡げる操作をした場合でも、患部に過度の刺激や痛みを与えることがない。
【００２２】
塗布剤の患部への塗布が完了したら、供給ノズル１を供給部５の先端から外して廃棄し、ノズル蓋９にはキャップ１３を被せておく。このように供給ノズル１は使い捨てとすることができ、新たな使用時には別の滅菌袋から新たな供給ノズル１を取り出して、上記同様に使用することができる。これにより一度使用した供給ノズル１での菌の繁殖に起因する他の使用者への感染や、同一使用者への他の部位への感染を防止することができる。尚、供給ノズル１を使い捨てとすることは必ずしも本発明の必須の要件ではなく、塗布剤を塗布する部位の衛生状態が消毒等により確保されている場合や、感染の虞が小さい場合などは、同じ供給ノズル１を供給部５の先端に取り付けたままにして使用を継続することも可能である。
【００２３】
次に本発明の他の実施形態について説明する。図３は、口腔用塗布剤チューブの供給部に供給ノズルが予め取り付けられている実施形態を示す側面図である。図１及び図２に関して説明した実施形態では、綿棒を使用することを前提とした既存の口腔用塗布剤チューブの細長い供給部５に本発明の供給ノズル１を取り付けるようにしている。しかし、本発明はこのように既存の口腔用塗布剤チューブに後付けする態様に限らず、口腔用塗布剤チューブ３の供給部５に供給ノズル１が予め取り付けられている態様でも構わない。これにより最初の使用時に、使用者が供給ノズル１を供給部５に取り付ける手間を省くことができる。また口腔用塗布剤チューブ３自体を一回限りの使い捨てとする場合には、供給ノズル１の取り替えの必要がないから、供給ノズル１が供給部５から外れないように接着剤等で固定するようにしてもよい。
【産業上の利用可能性】
【００２４】
口腔内の患部へ局所的に、しかも刺激や痛みを感じずに塗布剤を供給可能な口腔用塗布剤チューブの供給ノズル及び口腔用塗布剤チューブセットを提供できる。
【図面の簡単な説明】
【００２５】
【図１】本発明に係る口腔用塗布剤チューブの供給ノズルを口腔用塗布剤チューブに取り付けた状態で使用する様子を示す斜視図である。
【図２】（ａ）は口腔用塗布剤チューブの先端にキャップを取り付けた状態を示す側断面図であり、（ｂ）はキャップを取り外し、供給ノズルを取り付ける様子を示す側面図である。
【図３】口腔用塗布剤チューブの供給部に供給ノズルが予め取り付けられている実施形態を示す側面図である。
【符号の説明】
【００２６】
１  供給ノズル
３  口腔用塗布剤チューブ
５  供給部
７  チューブ本体
９  ノズル蓋
１１  蓋本体部
１３  キャップ
【図１】
2005177111.tif 000003
【図２】
2005177111.tif 000004
【図３】
2005177111.tif 000005